(57)【要約】      （修正有）【課題】ブラシ毛の弾力性を利用し、イカヅノの保持、投入に効果を示す軽量性と加工容易性に優れた小型のイカヅノ投入器を提供する。【解決手段】略コの字状長方体２の上下内面にブラシを植毛し、その上下ブラシ３，４により、直列に連結した複数のイカヅノ１２を挟んで保持し、投入は、仕掛け糸１４の先端に取付けた錘１３を海中に投げ入れ、その重力で複数のイカヅノが連鎖してブラシから離れ、自然放出するイカヅノ投入器である。略コの字状長方体の下部前面に、イカヅノの放出時、下ブラシ及び船縁１６に引っかからないように、イカヅノを滑らすための滑走台８を具備するのが好ましい。【選択図】図１
0003193689.tif 000002
【実用新案登録請求の範囲】
【請求項１】
略コの字状長方体の上下内面にブラシを植毛し、その上下ブラシにより、直列に連結した複数のイカヅノを挟んで保持し、投入は、仕掛け糸の先端に取付けた錘を海中に投げ入れ、その重力で複数のイカヅノが連鎖してブラシから離れ、自然放出するイカヅノ投入器。
【請求項２】
略コの字状長方体ブラシの下辺前部に、イカヅノの放出時、下ブラシ及び船縁に引っかからないように、イカヅノを滑らすための滑走台を具備することを特徴とする請求項１記載のイカヅノ投入器。
【請求項３】
略コの字状長方体の下ブラシ裏面に面ファスナーを施し、船縁に着脱できるようにしたことを特徴とする請求項１又は請求項２記載のイカヅノ投入器。
【請求項４】
略コの字状長方体ブラシの背面長尺側両端にケーブルクリップを外向きに取付け、それに直列に連結した複数のイカヅノを巻き付けて、仕掛けを収納できるようにしたことを特徴とする請求項１から請求項３のいずれかに記載のイカヅノ投入器。
【考案の詳細な説明】
【技術分野】
【０００１】
本考案は、イカ釣り仕掛けの引き上げ及び、投入作業を容易にする為、ブラシ特性を利用したイカヅノ投入器に関するものである。
【背景技術】
【０００２】
イカ釣り針は擬餌針（以下イカヅノと言う）で仕掛け糸に１〜２ｍ間隔で５本〜１０本装着したものが多い。仕掛け糸の全体長は５〜２０ｍになり、最下に錘がついている。イカヅノの保持には、一般に床敷などに多用されるパイル織布マットが知られている。この種のものは、通常、表面がパイルループ織布、裏面はゴムマットで構成され、床敷用として使用されている。パイル織布マットは竿受けクランプに共締めして使用する。
【０００３】
仕掛けを降ろす時は、錘から降ろし、パイル織布マット上に針先を引っ掛けたイカヅノを、１個づつ、利き手指でつまみ、糸絡みに注意しながら海中へ降ろしていく。イカヅノを放すタイミングを誤ると、錘による張力で下向きの針先が指等に突き刺さったりする。怪我をしないよう、又、仕掛けに糸絡みがないよう慎重な落とし込みが要求され、経験者でも全てのイカヅノを海中に沈下させるには相当な時間を要する。これらの問題を解決する器具として数種開発、供給されている。
【０００４】
従来のイカヅノ投入器には、円筒体を利用した器具や、円筒体と磁石を組合わせた器具が知られている。
イカ釣り針保持具（特許文献１参照）は、支持具から水平方向に張り出すアームに、６〜７本前後のマグネット付き短尺円筒体が開口部を下向きに、適当な間隔で取付けしている。仕掛け糸の引上げ時は、開口部にイカヅノ針先を磁着保持し、投げ入れた錘の重力で、連結された全てのイカヅノが連鎖して、マグネットから離れて、海中に落下させる投入器具である。
【０００５】
筒型イカヅノ投入装置（特許文献２参照）は、船縁などに着脱自在の支持台と６〜７本前後の長寸のイカヅノ収納筒を、直列に支持具で組み合わせたイカズノ投入器で構成している。イカヅノ収納時は収納筒の筒開口端が上方を向いた起立状態で、投入時は前方に向けた前上傾斜となる。錘の投入で順次イカヅノが海中に自然放出する器具である。
何れもイカヅノの保持・投入器の出願であって、収納筒に挿入されたイカヅノ及び仕掛け糸が、投げ入れた錘の重力によって、最下のイカヅノから最上のイカヅノまで、連鎖して収納筒から離れ、海中に自然落下で投入される器具である。
【先行技術文献】
【特許文献】
【０００６】
【特許文献１】特開２００３−２３９４０号公報
【特許文献２】実開平６−２３４６１号公報
【考案の概要】
【考案が解決しようとする課題】
【０００７】
イ、イカ釣りの器具として先行供給品は高額である。（誰もが手軽に所持可能な安価な商品でない）
ロ、使用したいイカヅノ本数分のパイプと支柱などが必要で、器具自体が大型で重量物となり、持ち運びの利便性に欠け、船縁設置にも時間を要す。
ハ、仕掛けの引き上げ時は、釣れたイカの安全な取り込み、仕掛け糸の絡み防止、筒体収納口へのイカヅノ保持、の３作業を同時に進める。特に、収納筒開口部の位置視認とイカヅノ保持に手間取り、作業性が悪い。
ニ、構造上、凸凹部が多い造りとなっている為、船の揺れ、風の影響などによる糸絡み、もつれを引き起こしやすい。
ホ、総じて、取扱いが簡単ではなく、形態がシンプル性に欠けるので、釣り用バッグに収まり難い。  
【課題を解決するための手段】
【０００８】
略コの字状長方体の上下内面にブラシを植毛し、その上下ブラシにより、直列に連結した複数のイカヅノを挟んで保持し、投入は、仕掛け糸の先端に取付けた錘を海中に投げ入れ、その重力で複数のイカヅノが連鎖してブラシから離れ、自然放出するイカヅノ投入器。
【０００９】
略コの字状長方体の下辺前部に、イカヅノの放出時、下ブラシ及び船縁に引っかからないように、イカヅノを滑らすための滑走台を具備することを特徴とする請求項１記載のイカヅノ投入器。
【００１０】
略コの字状長方体の下ブラシ裏面に面ファスナーを施し、船縁に着脱できるようにしたことを特徴とする請求項１又は請求項２記載のイカヅノ投入器。
【００１１】
略コの字状長方体の背面長尺側両端にケーブルクリップを外向きに取付け、それに直列に連結した複数のイカヅノを巻き付けて、仕掛けを収納できるようにしたことを特徴とする請求項１から請求項３のいずれかに記載のイカヅノ投入器。
【考案の効果】
【００１２】
効果を下記に箇条書きにまとめた。
イ、本イカヅノ投入器に、初めてブラシの弾力特性を応用したことで、小型、軽量、且つ、安価な器具を追加できた。又、コの字状ブラシと滑走台は、取り外しができるので、持ち運びも便利である。
ロ、釣れたイカ、外れたイカのヌメリとか、身切れ部分が付着しているイカヅノには、イカは敬遠して食いつかない。昨今は歯ブラシなどを使って、こまめに除去していたが、本器のブラシ端で除去できるので、歯ブラシなどの携行は不要となる。
ハ、シンプルで且つ邪魔となるような突起物がないので船の揺れ、風の影響による糸絡みが減少する。
ニ、本イカヅノ投入器には仕切りが無いので、イカヅノ本数が増えても本数に応じ、保持の間隔を狭くとって対応できる。
ホ、本イカヅノ投入器には、面ファスナーを施しており、船縁への設置は、Ｃ型クランプで取付けたパイル織布マットに、本器を圧着するだけの、極めて簡単な器具である。
へ、ケーブルクリップはイカヅノと仕掛け糸を一緒に収納できるので、釣場にはそのまま持参して仕掛け端糸を竿に接続するだけでよい。終了時も前記仕掛け端糸を竿から外し、イカヅノはブラシ間に保持、仕掛け糸はケーブルクリップに巻納めて、そのままで持ち帰り、塩分を洗い流した後、保管できる。
【図面の簡単な説明】
【００１３】
【図１】本考案に係るイカヅノ投入器の使用状態を示す側面図である。
【図２】本考案に係るイカヅノ投入器の使用状態を示す斜視図である。
【図３】本考案に係るイカヅノ投入器の本体平面図である。
【図４】本考案に係る滑走台の支持部を示す拡大図である。
【図５】本考案に係るイカヅノ投入器の下ブラシの裏面図である。
【図６】本考案に係るイカヅノ投入器の仕掛け糸収納を示す背面図である。
【考案を実施するための形態】
【００１４】
略コの字状長方体の上下内面にブラシを植毛し、その上下ブラシにより、複数のイカヅノを挟んで保持し、投入は、仕掛け糸の先端に取付けた錘を海中に投げ入れ、その重力で複数のイカヅノが連鎖してブラシから離れ、自然放出を可能にする、小型で加工容易なシンプルな形態にする。
略コの字状長方体の下ブラシ前面に、下ブラシ及び船縁に引っかからないように、イカヅノを滑らすための滑走台を具備することで、イカヅノの水平方向への放出を実現し、糸絡みともつれのないものとする。
略コの字状長方体の下ブラシ裏面には面ファスナーを施し、船縁への簡単着脱を実現する。略コの字状長方体の背面長尺側両端に、全ての仕掛けを収納できるように、ケーブルクリップを外向きに取付け、釣りの準備と終了片付けの時間短縮、操作の容易性を実現する。これらによって上記課題を解決するものである。
（形態の詳細な説明）
【００１５】
コの字状ブラシ２の材料は軽量樹脂他、木材でも良い。平板ブラシと平板ブラシを平板で連結したコ字状ブラシ２である。植毛幅は上ブラシ３は２０ｍｍ前後、下ブラシ４は３５ｍｍ前後で、長手方向に毛長１５ｍｍ前後のブラシ毛を植毛している。ブラシ材はナイロンで良いが他の化学繊維類、植物繊維類、家畜繊維類、でも適当な弾力性を有しているものであれば問題はない。上下の毛先クリアランスは１．５ｍｍ〜３．５ｍｍ程度が良いが、材質によって適当に調整する。下ブラシの左右側面に滑走台８を連結するため、下ブラシには埋め込みナット５を設けた。下ブラシ裏面には設置用の面ファスナー６を施した。釣り開始の準備と終了片付けの時間短縮、操作の容易性を実現するため、コ字状ブラシ２の背面長尺側両端に、ケーブルクリップ１０を外向きに取付け、全ての仕掛けを巻き付け、収納できる形態にした。
以上の構成による合成部品である。
【００１６】
滑走台８は、円筒体と支持アームで構成され、連結は支持アーム円周端が、より上方にはみ出る隔壁高８ａを備える。又、円筒体下部中央に雌ネジを施し、投入滑走台８の高さ調整用にボルト９を設けた。
滑走台８は、コの字状ブラシ２から飛び出したイカヅノが、下ブラシ、船縁、側壁に引っかからないように、平板などで滑らすようにしてもよい。
コの字状ブラシとの連結は下ブラシ４の左右に設けた埋め込みナット５にスリーブ等を介して浮動させ、スクリュー７で固定している。（滑走台８は浮動締付）以上の構成による合成部品である。
（本考案の使用方法）
【００１７】
船縁１６に、パイル織布マット１１を、Ｃ型クランプ１５で固定する。
パイル織布マットに下ブラシ４裏面の面ファスナー６を圧着する。イカヅノの種類と長さに応じて、滑走台８の支持アームを下ブラシ４左右２箇所にある埋め込みナット５の何れかに移動させてスクリュー７で固定する。
高さ調整ボルト９で調整して設置完了。
【００１８】
仕掛け引き上げ時は、引き上げたイカヅノから順番に適当な間隔でイカヅノ投入器本体１のブラシ間に挟んでいく。仕掛け糸１４は滑走台８の円筒部の海側に垂らすが、滑走台８の隔壁８ａによって、散乱することは少ない。又、船の揺れ、風等で散乱した場合でも、突起物がないので引っ掛かることがない。
【００１９】
仕掛けの投入時は、釣り糸をフリー状態にして、錘１３と最下のイカヅノを同時に海中投入すれば、イカヅノ投入器本体１のブラシ間に保持されていたイカヅノ１２と、滑走台８に垂らした仕掛け糸１４は、錘重力と、滑走台８によって、自然に水平方向１２ａに導かれ、飛び出す。イカヅノの胴部が滑走台８の円筒部分で持ち上がった時に、反転１２ｂしながら海中に飛び込み、直結された仕掛けとイカヅノは全て沈下する。
【符号の説明】
【００２０】
１    イカヅノ投入器本体
２    コの字状ブラシ
３    上ブラシ
４    下ブラシ
５    埋め込みナット
６    面ファスナー
７    スクリュー
８    滑走台
８ａ  隔壁高
９    ボルト
１０  ケーブルクリップ
１１  パイル織布マット
１２  イカヅノ
１２ａ  イカヅノ放出の仮想軌道
１２ｂ  イカヅノ放出の仮想軌道
１３    錘
１４  仕掛け糸
１５  Ｃ型クランプ
１６  船縁
１７  船釣り竿
【図１】
0003193689.tif 000003
【図２】
0003193689.tif 000004
【図３】
0003193689.tif 000005
【図４】
0003193689.tif 000006
【図５】
0003193689.tif 000007
【図６】
0003193689.tif 000008